(57)【特許請求の範囲】
【請求項１】
引き出し用の延長ガイドであって、
家具枠体（４）に固定される枠体レール（３ｃ）と、
前記枠体レール（３ｃ）に対して移動可能な少なくとも１つの延長レール（３ａ）と、
前記延長レール（３ａ）に接続される保持要素（５）と、
を備え、
前記保持要素（５）は、前記引き出しを前記延長レール（３ａ）に調整可能に接続するための接続要素（７）を含み、前記接続要素（７）は、前記延長レール（３ａ）の長手軸に対して横方向に前記引き出しの水平面を通して移動可能となるよう取り付けられており、
前記保持要素（５）は、前記接続要素（７）を前記延長レール（３ａ）の長手軸に対して横方向に前記引き出しの水平面を通して移動させるための調整装置を含み、前記調整装置は、前記延長レール（３ａ）の前記長手軸と略平行な回転軸の周りで回転するよう構成された伝動装置（９、１８、３２）を含み、前記調整装置は、前記伝動装置（９、１８、３２）の回転運動を、前記接続要素（７）の前記延長レール（３ａ）の長手軸に対する横方向への直進運動に変換するよう構成されている、
延長ガイド。
【請求項２】
中心レール（３ｂ）は、前記延長レール（３ａ）と前記枠体レール（３ｃ）との間に配置されることを特徴とする、請求項１に記載の延長ガイド。
【請求項３】
前記伝動装置（９、１８、３２）は、工具を使わずに駆動するハンドルを有することを特徴とする、請求項１または２に記載の延長ガイド。
【請求項４】
前記伝動装置（９、１８、３２）は、レバー（１８、３２）を含むことを特徴とする、請求項１〜３のうちのいずれか一項に記載の延長ガイド。
【請求項５】
前記伝動装置（９、１８、３２）は、ねじ（１０）によって駆動可能であることを特徴とする、請求項１〜４のうちのいずれか一項に記載の延長ガイド。
【請求項６】
前記伝動装置（９、１８、３２）は、少なくとも部分的に偏心輪構造のものであることを特徴とする、請求項１〜５のうちのいずれか一項に記載の延長ガイド。
【請求項７】
前記保持要素（５）は、前記接続要素（７）の横方向移動を案内するための案内装置をさらに備えることを特徴とする、請求項１から６のうちのいずれか一項に記載の延長ガイド。
【請求項８】
前記案内装置は、前記保持要素（５）に取り付けられた少なくとも１つのガイドレール（１４）を有し、前記ガイドレール（１４）を少なくとも部分的に包囲するガイド溝またはガイドスリーブが、前記接続要素（７）または前記伝動装置（９、１８、３２）に配置され、該ガイド溝または該ガイドスリーブは、前記ガイドレール（１４）に沿って移動可能に取り付けられることを特徴とする、請求項７に記載の延長ガイド。
【請求項９】
前記案内装置は、前記保持要素（５）に配置された少なくとも１つのスロットまたは前記保持要素（５）に配置される摺動ガイドを有しており、前記接続要素（７）のガイド突起部またはガイドピンは、前記スロットまたは摺動ガイドに移動可能に取り付けられることを特徴とする、請求項７に記載の延長ガイド。
【請求項１０】
前記接続要素（７）は、前記引き出し（２）に接続されている状態で前記引き出し（２）の凹所に係合するかぎ状の保持突出部（１５、１５’）を含むことを特徴とする、請求項１〜９のうちのいずれか一項に記載の延長ガイド。
【請求項１１】
前記接続要素（７）は、前記引き出し（２）に固定されうる取付板（２９）を含み、該取付板（２９）に前記調整装置が取り付けられることを特徴とする、請求項１〜１０のうちのいずれか一項に記載の延長ガイド。
【請求項１２】
前記調整装置は、前記取付板（２９）に回転可能または枢動可能に取り付けられる回転運動可能な伝動装置（９、１８、３２）を含むことを特徴とする、請求項１１に記載の延長ガイド。
【請求項１３】
前記保持要素（５）は、前記調整装置を解放可能に拘束しうる拘束装置を有することを特徴とする、請求項１〜１２のうちのいずれか一項に記載の延長ガイド。
【請求項１４】
前記引き出し（２）を垂直に移動するさらなる調整装置（１１）が、前記保持要素（５）に配置され、該さらなる調整装置（１１）は、前記調整装置とは独立に作動可能であることを特徴とする、請求項１〜１３のうちのいずれか一項に記載の延長ガイド。
【請求項１５】
少なくとも１つのサポートバー（１６ａ、１６ｂ）が、前記保持要素（５）に配置され、該少なくとも１つのサポートバー（１６ａ、１６ｂ）には、前記引き出し（２）が取り付けられた状態で載せられて、該少なくとも１つのサポートバー（１６ａ、１６ｂ）は、前記さらなる調整装置（１１）によって前記延長レール（３ａ）に対して垂直に移動可能であることを特徴とする、請求項１４に記載の延長ガイド。
【請求項１６】
前記さらなる調整装置（１１）は、回転運動成分を前記接続要素（７）または前記少なくとも１つのサポートバー（１６ａ、１６ｂ）の直進運動に変換しうる回転運動可能なさらなる伝動装置を含むことを特徴とする、請求項１４または１５に記載の延長ガイド。
【請求項１７】
引き出し（２）の互いに向かい合う側に配置されるべき２つの延長ガイド（３、３’）を有する引き出し（２）の延長ガイド取付構造であって、
−前記引き出し（２）の第１の側に配置されるべき請求項１〜１６の一項による延長ガイド（３）と、
−前記引き出し（２）の第２の側に配置されるべき第２の延長ガイド（３’）と、
を含み、
前記第２の延長ガイド（３’）は、第２の接続要素（８）を備える第２の保持要素（６）を有し、前記第２の接続要素（８）によって、前記引き出し（２）は前記第２の延長ガイド（３’）の延長レール（３ｄ）に接続可能であり、
前記第２の保持要素（６）は、前記第２の延長ガイド（３’）の延長レール（３ｄ）に接続され、
前記第２の接続要素（８）は、前記延長ガイド（３）の前記保持要素（５）の前記接続要素（７）の運動に適合するために、前記第２の延長レール（３ｄ）に対して移動可能となるよう構成されていることを特徴とする、延長ガイド取付構造。
【請求項１８】
前記第２の保持要素（６）は、前記第２の接続要素（８）の運動を案内するための第２の案内装置をさらに備えることを特徴とする、請求項１７に記載の延長ガイド取付構造。
【請求項１９】
前記第２の保持要素（６）は拘束装置を有しており、前記拘束装置によって、前記第２の接続要素（８）は解放可能に拘束されうることを特徴とする、請求項１７または１８に記載の延長ガイド取付構造。
【請求項２０】
前記引き出し（２）を垂直に移動するさらなる調整装置（１１）が、前記第２の保持要素（６）に配置されることを特徴とする、請求項１７〜１９のうちのいずれか一項に記載の延長ガイド取付構造。
【請求項２１】
引き出しの延長ガイド取付構造であって、
−第１の延長ガイド（３）を前記引き出し（２）に接続しうる第１の固定要素を備える該第１の延長ガイド（３）と、
−第２の延長ガイド（３’）を前記引き出し（２）に接続しうる第２の固定要素を備える該第２の延長ガイド（３’）と、
を含み、
調整要素（３５）が、前記第１の延長ガイド（３）に配置され、
該調整要素の内部または表面には、前記第１の固定要素が前記第１の延長ガイド（３）に対して前記引き出し（２）を横方向に移動するように移動可能に取り付けられ、
取付部（３９）が、前記第２の延長ガイド（３’）に配置され、
該取付部（３９）には、前記第２の固定要素が前記第１の延長ガイド（３）に対する前記引き出し（２）の移動に適合するように、移動可能に取り付けられる、延長ガイド取付構造。
【請求項２２】
前記第１の固定要素は、前記第１の延長ガイド（３）の前半分に配置され、かつ／または前記第２の固定要素は、前記第２の延長ガイド（３’）の前半分に配置されることを特徴とする、請求項２１に記載の延長ガイド取付構造。
【請求項２３】
前記第１の固定要素および／または前記第２の固定要素は、前記引き出し（２）の引き出し底部（２ｂ）または側壁（２ｃ）における開口に適合される押込み突起部（３４、３７）を含むことを特徴とする、請求項２１または２２に記載の延長ガイド取付構造。
【請求項２４】
前記調整要素（３５）は、前記第１の固定要素をラッチ係合するラッチ装置を含むことを特徴とする、請求項２１〜２３のうちのいずれか一項に記載の延長ガイド取付構造。
【請求項２５】
請求項１〜１６のうちのいずれか一項に記載の少なくとも１つの延長ガイド（３）または請求項１７〜２０のうちのいずれか一項もしくは請求項２１〜２４のうちのいずれか一項に記載の延長ガイド取付構造を備える引き出し。
【請求項２６】
請求項２５に記載の少なくとも１つの引き出し（２）を備える家具。
【発明の詳細な説明】
【技術分野】
【０００１】
本発明は、引き出しを延長レールに調整可能に接続しうる接続要素を有する保持要素を含む、家具枠体に固定されるべき枠体レールと枠体レールに対して移動可能である少なくとも１つの延長レールとを備える引き出し用延長ガイドに関する。保持要素は、延長レールに接続されるかまたは接続可能であり、接続要素は、保持要素に対して移動可能に取り付けられ、接続要素を水平に移動する調整装置が保持要素に配置される。
【背景技術】
【０００２】
本出願人に付与された特許文献１は、本明細書に記載する一般的な種類の引き出し延長ガイドを開示しており、引き出しの後部端は、延長レールに取り付けられる保持突出部の形をした取付け部分を介して、工具を使わずに引き出し延長ガイドに接続されうる。保持突出部は、家具枠体の内側にある延長ガイドの端に取り付けられ、その上面と実質的に平行に離間して延在する。
【０００３】
延長レールに対する引き出しの後部端の取付けおよび取外しは、引き出しを保持突出部に押し付けるか、または引き出しを保持突出部から引き戻すことによって行われる。保持突出部への押付けによって取付けが行われた後、引き出しは、持ち上げて横に移動しなくてもその後部端領域に固定される。枠体に対するフロントパネルの高さ方向の位置を実質的に変えることなく、取付け位置にある引き出しのフロントパネルを傾けることができるように、特許文献１では保持突出部を高さ方向に移動可能にすることを提案している。
【０００４】
特許文献２には、調整偏心輪を備える駆動要素が延長レールの長手方向に沿った家具枠体の引き出しの深さ方向調整に役立つ、タッチラッチ延長ガイドが開示されている。横方向の移動についての開示はない。横方向の移動は、ロックユニットへの延長ガイドの一時的な接続に基づいて、タッチラッチ機構によって実施され、別の構成または別の位置における駆動要素は受け入れられない。
【０００５】
横方向の延長ガイドに対する引き出しのさらなる調整オプションが、特許文献３、特許文献４、および特許文献５に開示されており、このような移動は、引き出しと延長ガイドの間のウェッジ表面によって確保される。
【０００６】
特許文献６および特許文献７には、延長レールに対して引き出しをさらに横方向にも移動させることができる特徴が記載されている。その場合、受入れ要素が引き出しの後壁に固定され、その構成要素は、引き出し延長ガイドに接続された板を受け入れるスロット状の開口を有する。板は、スロット状の開口内で所定量だけ移動可能であり、それによって、引き出しの後部端領域の横方向移動も可能である。
【０００７】
引き出しを延長レールに対して横方向に移動させるさらなる可能な方法は、特許文献８に示されており、この特許出願では、保持突起部を引き出しの予め開けられたドリル穴に適合させることができる。延長レールに取り付けられた保持部は、保持突起部に適合させることができ、保持突起部内で横方向に移動可能である。
【０００８】
引き出しの横方向調整に関する同様の装置が、特許文献９に示されており、その場合、保持突起部は、保持部のスロット状の開口に移動可能に取り付けられる。
【０００９】
延長レールに対して引き出しを横方向および高さ方向に移動するこのような装置は、引き出しまたは延長ガイドの小さい製造ばらつきを補償し、特に複数の引き出しが家具枠体に適合される場合に、隙間が一様に見えるようにするために必要である。
【００１０】
延長レールに対して引き出しを横方向に移動する前述の可能な方法は、積極的に駆動されうる精度の高い調整装置の可能性を含まない。前述の装置では、それぞれの突起部は、溝付きの水平な開口に保持される。引き出しまたは保持部を叩くことによって、突起部は溝の中を移動し、延長ガイドに対して引き出しを横方向に移動させることができる。しかしながら、引き出しの横方向位置を意図的に積極的に移動することは、溝彫りの１つの凹所から次の凹所に移動するために、引き出しまたは保持部への作用に必要な力を正確に加えられなくなるという意味で、受け入れられない。したがって、既存の装置は、動作が鈍く不正確である。
【先行技術文献】
【特許文献】
【００１１】
【特許文献１】欧州特許第１１４７７２５（Ｂ１）号明細書
【特許文献２】墺国実用新案第９１１４（Ｕ１）号明細書
【特許文献３】独国特許第２１２３３９７（Ａ１）号明細書
【特許文献４】独国特許第３１３８２０４（Ａ１）号明細書
【特許文献５】独国特許第２４２２４０８（Ａ１）号明細書
【特許文献６】独国特許第２０２００６００３０３５（Ｕ１）号明細書
【特許文献７】独国特許第２０２００７０１４９５４（Ｕ１）号明細書
【特許文献８】墺国特許出願第Ａ８９５／２００９号明細書
【特許文献９】国際公開第２００７／０９６１５６号パンフレット
【発明の概要】
【発明が解決しようとする課題】
【００１２】
本発明の目的は、前述の最新技術の不都合を回避して、延長レールに対する引き出しの横方向位置を積極的に調整しうる可能な方法を提供することにあり、横方向移動の所望の範囲は、可能な限り正確に順守される。
【課題を解決するための手段】
【００１３】
これは、請求項１の特徴を有する延長ガイドによって実現される。
【００１４】
本発明による延長ガイドは、それゆえ、引き出しを延長レールに調整可能に接続しうる接続要素とともに保持要素を含む。保持要素自体は、延長ガイドの延長レールに接続されるかまたは接続可能である。また、延長レールは、この上に形成される保持要素と一体であってもよい。接続要素が引き出しに接続される場合、接続要素は、引き出しと延長レールとの間の相対運動が可能となるように、保持要素に対して移動可能に取り付けられる。
【００１５】
本発明によると、接続要素を水平に移動する調整装置が、保持要素に配置される。接続要素の移動は、接続要素を引き出しに間接的または直接的に接続することによって、引き出しに伝達される。調整装置は、水平移動の範囲が調整可能であり、それゆえ、引き出しが延長レールに対して積極的かつ高精度に移動可能である、調整機構を含む。
【００１６】
接続要素は、たとえば、引き出しの後壁またはさらに引き出し側壁、たとえば、引き出しの後壁またはさらに引き出し側壁の枠体に面する前面に配置されうる。本発明による延長ガイドは、木質材料製の引き出しの特に取付けおよび調整を可能にし、共通構成部品としての木質材料は、延長ガイドに解放可能に固定可能であり、好ましくは工具を使わずに取付けおよび／または取外しが可能である。
【００１７】
その点に関して、延長レールに対する引き出しの横方向における積極的な移動の後に独立したさらなる移動を防止するように、調整装置は、自動ロック構成のものとすることができる。その自動ロック作用は、たとえば、調整装置の構成要素間の摩擦連結に基づいていてもよい。
【００１８】
保持要素は、後部領域において引き出しに、たとえば、引き出しの後壁で引き出しに接続されるものと規定されることが好ましい。そのために、保持要素は、それぞれ延長ガイドの後部端または引き出し延長ガイドの１つの延長可能レールに配置されうる。
【００１９】
調整装置は、回転運動可能な伝動装置を含み、それによって、回転運動成分が接続要素の直進運動に変換されうる。その場合、回転運動可能な伝動装置の回転は、延長レールの縦軸に実質的に平行に配置された軸を中心とし、すなわち、延長レールの長手方向を中心とする。伝動装置は、たとえば、調整レバーの形をしていてもよく、調整レバーを含んでいてもよい。調整装置は、横方向の延長レールに対する引き出しの連続調整を可能にする。離散的な移動を実施できるさらなる手段も考えられる。
【００２０】
本発明のさらに有利な構成を、添付の特許請求の範囲に定義する。
【００２１】
本発明のある実施形態では、延長ガイドは、延長レールと枠体レールとの間に配置される中心レールを含み、これらに対して移動可能である。このような延長ガイドによって、引き出しを完全に伸長することができる。
【００２２】
その場合、伝動装置は、引き出しに取り付けられる保持部または固定部に枢動可能または回転可能に取り付けられうる。延長レールに対する引き出しの横方向移動は、常に直進運動を意味する。回転運動成分を直進運動成分に変換しうる伝動装置は、積極的な高精度の移動が可能となるようにレバー効果を利用することができるという利点を提供する。その点に関して、調整装置は、延長レールに対する引き出しの横方向位置の連続的またはステップ状の調整を可能にするような設計形状のものとすることができる。
【００２３】
ある実施形態では、伝動装置には、工具を使わずに調整装置を駆動するハンドルが備えられる。かくして、延長レールに対する引き出しの横方向位置は、容易に調整されうる。
【００２４】
追加的または代替的に、伝動装置には、ねじが備えられるものと規定することが可能であり、伝動装置は、ねじを回転することによって作動されうる。
【００２５】
調整を容易にするために、たとえ重く大きい引き出しの移動であっても手動による小さい力があれば済むように、伝動装置は少なくとも部分的にレバー状または偏心輪構造のものであると規定することが可能である。
【００２６】
また、伝動装置は、歯配列、または水平に配置された歯配列、たとえば、引き出しを横方向に移動する歯ラックと係合する付加的な歯車を有する調整輪を含んでいてもよい。
【００２７】
本発明のある実施形態では、保持要素は、延長レールに固定的に接続される。そのために、当接面または支持要素を保持要素に形成することができ、当接面もしくは支持要素は、延長レールの対応する開口に係合し、または延長レールに溶接される。しかしながら、保持要素と延長レールとの間の解放可能な接続部も考えられる。
【００２８】
特に好ましくは、保持要素に配置されるのは案内装置であり、この装置によって、接続要素は、保持要素で移動可能に案内されるものと規定される。
【００２９】
その場合、その案内装置は、保持要素に取り付けられるガイドレールを有していてもよく、ガイド溝のガイドスリーブが接続要素または伝動装置に配置され、ガイドスリーブは、少なくとも部分的にガイドレールを包囲し、ガイドレールに沿って移動可能に取り付けられうる。その点に関して、ガイドレールの輪郭形状は、原則として任意の所望の形状である。簡単な方法では、ガイドレールはガイドピンの形をしている。このようなガイド配置は、横方向における正確で安定した移動を保証する。
【００３０】
案内装置は、接続要素のガイド突起部またはガイドピンに係合する、保持要素に配置された細長いスロットまたは保持要素に配置された摺動ガイドをさらに有していてもよく、ガイド突起部またはガイドピンは、スロットまたは摺動ガイドに移動可能に取り付けられる。
【００３１】
保持要素は、引き出しに固定される固定部をさらに有していてもよい。その場合、前述のガイドレールおよび前述のスロットまたは摺動ガイドも、その固定部に配置されてよい。固定部は、取付板の形をしていてもよい。
【００３２】
本発明のさらなる実施形態では、接続要素は、保持要素が引き出しに接続される取り付けられた状態における引き出しの開口に係合するかぎ状の保持突出部を含む。その場合、開口は予め開けられたドリル穴であってもよい。取り付けられた状態では、保持突出部は、プレス嵌めまたは滑り嵌めによって開口内に保持されうる。保持突出部は、円筒状であってもよく、接続をより安定にするためにラッチ要素をさらに有していてもよい。
【００３３】
本発明のさらなる実施形態では、移動要素は、引き出しに固定されうる取付板を含み、取付板には調整装置が取り付けられる。調整装置が回転運動可能な伝動装置を含む場合、ひいては、この伝動装置は、取付板に回転可能または枢動可能に取り付けられるものと規定することができる。さらに、移動要素の運動を案内する案内装置は、その取付板に配置することができる。
【００３４】
本発明のある実施形態では、延長ガイドは拘束装置を含んでいてもよく、この装置によって、延長レールに対する引き出しの横方向のさらなる移動が防止されるように調整装置は解放可能に拘束されうる。
【００３５】
本発明の好ましい実施形態では、さらなる調整装置が保持要素に配置され、この調整装置によって、引き出しは、延長レールに対して垂直方向に移動されうる。その点に関して、さらなる調整装置は、引き出しが横方向に移動するように、調整装置とは独立に作動可能であるものと規定することができる。それゆえ、横方向移動と高さ方向移動とが分離され、その結果、最大限の多様な調整が提供される。
【００３６】
それゆえ、このようなさらなる調整装置を使用すると、引き出しを延長レールに対して高さ方向とさらには横方向の両方に、独立に移動することができる。
【００３７】
そのために、少なくとも１つのサポートバーが保持要素に配置され、サポートバーでは、引き出しまたは引き出し底部が少なくとも部分的に取り付けられた状態にある。少なくとも１つのサポートバーは、さらなる調整装置によって延長レールに対して垂直に移動可能である。少なくとも１つのサポートバーは、接続要素も垂直方向に移動可能となるように接続要素の一部であってもよく、垂直運動は、保持要素に対する水平運動とは独立に実施されてよい。しかしながら、少なくとも１つのサポートバーは、保持部に配置されてもよく、保持部は、保持要素に垂直移動可能に取り付けられる。その場合、さらなる調整装置の作動によって、保持部の垂直運動が起こる。保持部および接続要素は、これらとともに引き出しが横方向に移動可能であり、さらなる調整装置または上記調整装置の作動によって互いに独立に移動可能である。
【００３８】
その点に関して、さらなる調整装置は、前述の利点がさらなる調整装置にも当てはまるように、原則として調整装置に似た構造のものであってもよい。それゆえ、垂直方向とさらには横方向の両方における引き出しの位置調整は、積極的かつきわめて正確に実施することが可能である。
【００３９】
特に好ましくは、さらなる調整装置は、回転移動可能なさらなる伝動装置を含み、この伝動装置による回転運動成分は、接続要素または保持部そして少なくとも１つのサポートバーの直進運動に変換されうるものと規定される。その結果、サポートバーに支えられる引き出しは、垂直に移動されうる。
【００４０】
本発明は、引き出しの互いに向かい合う側に配置されるべき２つの延長ガイドを備える引き出しに対する、延長ガイド取付具をさらに含む。その場合、延長ガイド取付具は、前述のような延長ガイドを含み、延長ガイドは、引き出しの第１の側に配置されるべきである。引き出しの反対側に配置されるべき第２の延長ガイドは、第２の接続要素とともに第２の保持要素を含む。第２の保持要素は、第２の延長レールに接続されるかまたは接続可能である。引き出しは、第２の接続要素を備える第２の延長ガイドの延長レールに接続されうる。
【００４１】
本発明によると、引き出しが所定位置に取り付けられるときに、保持要素の相対的な位置移動に適合する第２の接続要素と第１の延長ガイドの接続要素とは、互いに関連して移動可能であるものと規定される。引き出しが接続要素および第２の接続要素とともに第１および第２の延長ガイドの延長レールに接続される場合、第２の接続要素は、第２の保持要素に浮動的に取り付けられ、第１の延長ガイドの保持要素に対する接続要素の相対移動に追随しうる。その点に関して、浮動支持は、好ましくは第２の接続要素の水平運動に制限され、すなわち、第２の接続要素は、水平方向に浮動的に取り付けられ、第２の接続要素の固定は、垂直方向に提供されうる。しかしながら、浮動支持は、水平方向および垂直方向のいずれにおいても考えられる。
【００４２】
その評価基準は、１つの保持要素だけが前述のような調整装置を有している必要があると定めており、それによってコストが節約されうる。
【００４３】
その点に関して特に好ましくは、第２の案内装置が第２の保持要素に配置されるものと規定され、それによって、第２の接続要素は、第２の保持要素に関する移動に対して移動可能に案内される。
【００４４】
さらなる実施形態では、第２の保持要素は拘束装置を含み、それによって、第２の移動要素は解放可能に拘束されうる。その点に関して、拘束装置は、第２の保持装置のみに配置されるものと規定することができ、それによって、第１の延長ガイドの保持要素に対する接続要素の水平運動も阻止され、したがって、延長レールに対する引き出しの横方向移動全体が防止される。
【００４５】
前述のように、第２の保持要素に対する第２の接続要素の浮動支持、保持要素に対する接続要素の移動に追随する第２の接続要素の移動を可能にするこのような支持は、水平移動に制限されうる。特にその場合、本発明のさらなる実施形態では、引き出しの垂直移動に対するさらなる調整装置は、第２の保持要素に配置されるものと規定される。そのさらなる調整装置は、第１の延長ガイドの保持要素に対するさらなる調整装置と同じ構造のものであってもよい。浮動取付けが水平方向のみを指す場合、第２の保持要素に対する第２の接続要素の垂直位置は、明らかに浮動的でなく移動可能に支持され、さらなる調整装置が変位効果（ｄｉｓｐｌａｃｅｍｅｎｔ  ｅｆｆｅｃｔ）のために備えられている。第２の保持要素に対するさらなる調整装置の場合と、さらには保持要素に対するさらなる調整装置の場合のいずれの場合も、これらの装置は、設定位置が独立に調整できないように、自動ロック式であるものと規定されうる。取り付けられた引き出しの両側壁は、第２の保持要素に対しても、さらなる調整要素によって同じ量だけ垂直に移動可能である。
【００４６】
本発明は、さらに、第１の固定要素を備える第１の延長ガイドと第２の固定要素を備える第２の延長ガイドとを含む、引き出しの延長ガイド取付具に関する。第１の延長ガイドは、第１の固定要素を備える引き出しに接続されうる。第２の延長ガイドは、第２の固定要素を備える引き出しに接続されうる。２つの延長ガイドは、家具枠体の互いに向かい合う側に配置される。第１の固定要素が第１の延長ガイドに配置された調整要素の中または表面に移動可能に取り付けられ、その調整要素は、第１の延長ガイドに対する横方向の引き出しの移動に役立ち、すなわち、調整要素の移動は、横方向の第１の延長ガイドに対する引き出しの相対運動に変換され、逆も同様である。その点に関して、調整要素の運動は、垂直軸を中心とする回転運動または枢動運動をも含みうる。他の形態の運動も考えられることは理解されよう。
【００４７】
このような調整要素では、たとえば、わずかに斜めに設置される引き出しの設置位置を補正するために、第１の延長ガイドに対する引き出しの横方向移動が容易に可能になる。しかしながら、片側だけの相対移動は、引き出しが家具枠体内で詰まり、伸展運動が全く不可能であるという結果をもたらす場合がある。
【００４８】
そのような問題を防ぐために、本発明に従って、取付け部が第２の延長ガイドに配置されるものと規定され、取付け部には、第２の固定要素が、第１の延長ガイドに対する引き出しの移動に適合するように移動可能に取り付けられる。それゆえ、引き出しは、第１の延長ガイドに対してのみならず第２の延長ガイドに対しても、横方向に移動可能である。その場合、第２の固定要素は、引き出しが第２の延長ガイドの側でも調整要素によって変位運動に追随するように、取付部において浮動的に取り付けられる。
【００４９】
その点に関して、好ましくは、第１の固定要素は、第１の延長ガイドの前半分、特に第１の延長ガイドの延長レールに配置されるものと規定される。追加的または代替的に、第２の固定要素は、第２の延長ガイドの前半分、特に第２の延長ガイドの延長レールに配置されるものと規定されうる。その点に関して、延長ガイドの前半分は、引き出しの後壁の方向における引き出しのフロントパネルの領域を指す。
【００５０】
その場合、第１および第２の延長ガイドは、各々が枠体レールおよび延長レールを有する。枠体レールと延長レールとの間に中心レールを配置することができ、中心レールによって、引き出しを完全に引き出すことを提供することができる。その場合、第１および第２の固定要素は、第１および第２の延長ガイドの延長レールに配置されうる。
【００５１】
調整要素および取付け部を備える第１および第２の固定要素に加えて、前述のように、延長ガイドに対する引き出しの横方向移動に適合される保持要素および第２の保持要素が引き出しの後部領域に配置され、つまり、その運動に追随するように、引き出し全体を可能な限り平行に、すなわち、前方領域および後方領域、横方向に移動することが可能であり、それによって、引き出しの傾斜に起因する詰りのリスクがさらに最小化される。
【００５２】
可能な限り簡単な、引き出しと第１および第２の延長ガイドとの間のある種の接続を可能にするために、本発明の実施形態は、第１の固定要素と追加的または代替的に第２の固定要素は、引き出し底部または引き出しの側壁の開口に適合される押込み突起部を含むものと規定する。その場合、押込み突起部は、引き出しへの接続を改良するラッチ要素を有していてもよい。
【００５３】
さらなる実施形態では、第１の調整要素はラッチ装置を含み、ラッチ装置と第１の固定要素は、ラッチ係合しているものと規定される。これにより、ラッチ係合に起因して引き出しが横方向に移動した後の単独の復帰動作が防止される。しかしながら、調整要素は、単独の復帰動作を防止する摩擦係合に基づく自動ロック作用を有していてもよい。さらに、これによって、離散的な横方向移動を提供することが可能になる。
【００５４】
本発明は、さらに、前述のような少なくとも１つの延長ガイドまたは前述のような延長ガイド取付具を備える引き出しに関する。
【００５５】
本発明は、さらに、少なくとも１つのこのような引き出しを備える家具に関する。
【００５６】
本発明のさらなる詳細および利点を、以下の図面を参照し具体的な記述によって、さらに詳しく説明する。
【図面の簡単な説明】
【００５７】
【図１】本発明による家具の部分切り欠き斜視図を示す。
【図２ａ】延長ガイド取付具を備える引き出しの平面図を示す。
【図２ｂ】延長ガイド取付具を備える引き出しの詳細図を示す。
【図２ｃ】延長ガイド取付具を備える引き出しの詳細図を示す。
【図３ａ】本発明による延長ガイド取付具を備える引き出しの正面図を示す。
【図３ｂ】本発明による延長ガイド取付具を備える引き出しの詳細図を示す。
【図３ｃ】本発明による延長ガイド取付具を備える引き出しの詳細図を示す。
【図４】本発明による保持要素を備える延長ガイドの斜視図を示す。
【図５ａ】保持要素を備える延長レールの部分の分解図を示す。
【図５ｂ】保持要素を備える延長レールの部分の斜視図を示す。
【図６ａ】設定位置における保持要素および接続要素を備える延長レールの部分の斜視図を示す。
【図６ｂ】設定位置における保持要素および接続要素を備える延長レールの部分の斜視図を示す。
【図６ｃ】設定位置における保持要素および接続要素を備える延長レールの部分の斜視図を示す。
【図７ａ】図６ａの正面図を示す。
【図７ｂ】図６ｂの正面図を示す。
【図７ｃ】図６ｃの正面図を示す。
【図８ａ】本発明による保持要素のさらなる実施形態の斜視図を示す。
【図８ｂ】本発明による保持要素のさらなる実施形態の分解図を示す。
【図９ａ】第２の保持要素の斜視図を示す。
【図９ｂ】第２の保持要素の分解図を示す。
【図１０ａ】本発明による延長ガイドの部分の詳細斜視図を示す。
【図１０ｂ】本発明による延長ガイドの部分の詳細図を示す。
【図１１ａ】第２の保持要素を備える延長ガイドの部分の斜視図を示す。
【図１１ｂ】第２の保持要素を備える延長ガイドの部分の詳細図を示す。
【図１２ａ】引き出し後壁の保持要素の固定図を示す。
【図１２ｂ】引き出し後壁の第２の保持要素の固定図を示す。
【図１３ａ】保持要素のさらなる実施形態の延長ガイド取付具を備える引き出しの斜視図を示す。
【図１３ｂ】保持要素のさらなる実施形態の延長ガイド取付具を備える引き出しの詳細図を示す。
【図１３ｃ】保持要素のさらなる実施形態の延長ガイド取付具を備える引き出しの詳細図を示す。
【図１４ａ】保持要素のさらなる実施形態の部分の図を示す。
【図１４ｂ】保持要素のさらなる実施形態の部分の図を示す。
【図１４ｃ】保持要素のさらなる実施形態の部分の図を示す。
【図１４ｄ】保持要素のさらなる実施形態の部分の図を示す。
【図１４ｅ】保持要素のさらなる実施形態の部分の分解図を示す。
【図１５ａ】第２の保持要素のさらなる実施形態の部分の図を示す。
【図１５ｂ】第２の保持要素のさらなる実施形態の部分の図を示す。
【図１５ｃ】第２の保持要素のさらなる実施形態の部分の図を示す。
【図１５ｄ】第２の保持要素のさらなる実施形態の部分の図を示す。
【図１５ｅ】第２の保持要素のさらなる実施形態の部分の分解図を示す。
【図１６ａ】下から見た本発明による延長ガイド取付具の第１の延長ガイドの図を示す。
【図１６ｂ】下から見た本発明による延長ガイド取付具の第１の延長ガイドの詳細図を示す。
【図１７ａ】１つの位置における第１の固定要素を備える延長ガイド取付具の第１の延長ガイドの正面図を示す。
【図１７ｂ】別の位置における第１の固定要素を備える延長ガイド取付具の第１の延長ガイドの正面図を示す。
【図１８ａ】下から見た接続引き出しを備える本発明による延長ガイド取付具の図を示す。
【図１８ｂ】下から見た接続引き出しを備える本発明による延長ガイド取付具の詳細図を示す。
【図１８ｃ】下から見た接続引き出しを備える本発明による延長ガイド取付具の詳細図を示す。
【図１９ａ】第２の延長ガイドの平面図を示す。
【図１９ｂ】第２の延長ガイドの詳細図を示す。
【図１９ｃ】第２の延長ガイドの詳細図を示す。
【図１９ｄ】第２の延長ガイドの詳細図を示す。
【発明を実施するための形態】
【００５８】
図１における部分切り欠き斜視図は、家具枠体４に配置され、家具枠体４の向かい合う側に配置された２つのそれぞれの延長ガイド３、３’を介して家具枠体４に取り付けられる、複数の延長可能な引き出し２を備える家具１を示す。延長ガイド３、３’は、引き出し２の互いに向かい合う側壁２ｃに配置される。引き出し２は、その前側にフロントパネル２ａを有し、その後側に後壁２ｄを有する。引き出し底部２ｂは、フロントパネル２ａと後壁２ｄとの間に配置される。
【００５９】
図２ａは、互いに向かい合う側壁２ｃにそれぞれの延長ガイド３、３’を備える引き出し２の平面図を示す。延長ガイド３、３’は、家具枠体４に固定されており、家具枠体は図面の明瞭さを高めるために図示されていない。引き出しの後壁２ｂに固定される保持要素５は、第１の延長ガイド３の側壁２ｃに配置された延長レール３ａの後部端に配置される。やはり引き出しの後壁２ｄに固定される第２の保持要素６が、反対側延長ガイド３’の延長レール３ｄの後部端に配置される。
【００６０】
図２ｂは、図２ａにおいてＡで標識された部分の詳細図を示す。図２ｃは、図２ａにおいてＢで標識された部分の詳細図を示す。保持要素５は延長ガイド３の延長レール３ａに接続されており、第２の保持要素６は延長ガイド３’の延長レール３ｄに接続されることが分かるであろう。また、保持要素５、６は、引き出し２の後壁２ｄに接続される。
【００６１】
図３ａ〜３ｃは、図２ａ〜２ｃの配置の正面図を示しており、引き出し２は明瞭さを期して示されていない。その点に関して、保持要素５および第２の保持要素６は各々が引き出し後壁２ｄの下部領域に配置されることが、図３ａから分かるであろう。家具枠体４はこの図に示されており、その点に関して、例示の事例では、１つの延長可能な引き出し２のみが家具枠体４に配置される。
【００６２】
図３ｂは、延長ガイド３’の延長レール３ｄに配置された第２の保持要素６の正面図を示す。第２の保持要素６は、たとえば、延長レール３ｄに溶接されてもよい。延長ガイド３’は、家具枠体４に固定された枠体レール３ｆをさらに有する。中心レール３ｅが枠体レール３ｆと延長レール３ｄとの間に配置され、その結果、引き出し２を完全に引き出すことができる。
【００６３】
工具を使わずにハンドルを介して作動されうるさらなる調整装置１１が、延長ガイド３’に対する引き出し２の垂直運動に役立つ。その配置では、さらなる調整装置１１が、ピン１３によってスロット１２に枢動可能に取り付けられる。明瞭さを期してこの図には示されておらず、それによって第２の保持要素６が引き出し２に接続される第２の接続要素８は、ガイドピン１３に横方向に浮動的に取り付けられ、それによって、垂直方向に固定される。かくして、反対側に取り付けられた接続要素７の横方向運動に追随することが可能である。第２の接続要素８は、接続要素７と実質的に同じ構造のものである。
【００６４】
図３ｃは、保持要素５の正面図である。接続要素７は、ガイドピン１４によって移動可能に案内され、すなわち、接続要素７は、保持要素５に対してガイドピン１４に沿ってガイド溝によって移動されうる。保持要素５は、接続要素７を介して引き出し２に接続される。その接続はこの図では見えない。接続要素７の位置は、調整装置の調整輪９によって横方向に積極的に調整することができ、したがって、接続要素７に接続された引き出し２は、延長レール３ａに対して横方向に移動することができる。工具なしで作動されうる調整輪９の代わりに、調整装置は、調整ねじ１０によっても作動可能であり、それゆえ、ガイドピン１４に沿って接続要素７を移動するのにも役立つ。第２の保持要素６の場合と実質的に同様の構造のものであるさらなる調整装置１１が、引き出し２の垂直移動に役立つ。
【００６５】
水平方向における第２の保持要素６の浮動支持は、引き出し２の横方向移動に１つの調整装置のみが必要であることを意味するが、この実施形態では、引き出し２を垂直に移動するさらなる調整装置１１が、引き出し２の両側、すなわち、保持要素５および第２の保持要素６に配置される。
【００６６】
図４の斜視図は、延長レール３ａに加えて中心レール３ｂおよび枠体レール３ｃを含む延長ガイド３の延長レール３ａに固定される保持要素５のさらなる実施形態を示す。接続要素７に配置される保持突出部１５は、引き出し後壁２ｄに予め開けられたドリル穴に適合されうる。調整レバー１８が作動すると、横方向にガイドピン１４に沿って接続要素７および保持突起部１５に固定された引き出し２とともに、接続要素７および保持突起部１５が移動する。取り付けられた状態では、引き出し底部２ｂは、保持要素５において垂直方向に移動可能に取り付けられた保持部１９に配置されたサポートバー１６ａおよび１６ｂに存在する。サポートバー１６ａおよび１６ｂは、延長レール３ａの開口２０ａ、２０ｂに配置され、そこに配置された引き出し２は、さらなる調整装置１１の駆動によって延長ガイド３に対して垂直方向に移動されうる。保持要素５の支持要素１７は、たとえば溶接によって、延長レール３ａに固定的に接続され、特に垂直運動に関する支持に役立つ。
【００６７】
図５ａは、図４における保持要素５の分解図を示す。しかしながら、延長レール３ａの部分のみが示されていることに留意されよう。支持要素１７は、延長レール３ａに接続される。保持部１９が、延長レール３ａの長手方向に直角な垂直方向に移動可能に支持要素１７に取り付けられる。この垂直方向の運動が可能となるように開口２０ａおよび２０ｂが延長レール３ａに配置され、これらの開口の中で、サポートバー１６ａおよび１６ｂが移動可能である。調整レバーの形をしたさらなる調整装置１１は、２部分軸受ジャーナル１３ａ、１３ｂによって、スロット１２および貫通孔２１に枢動可能に取り付けられる。さらなる調整装置１１の枢動運動が延長レール３ａおよび支持要素１７に対して保持部１９の垂直運動を伴うように、ラッチ要素２４は、摺動ガイド２３に係合している。伝動装置の一部である、さらなる調整装置１１の調整レバーの回転運動は、保持部１９の垂直運動に変換される。引き出し２が取り付けられた状態にあるとき、引き出し底部２ｂは少なくとも部分的にサポートバー１６ａ、１６ｂに存在するので、保持部１９の垂直運動は、引き出し２に伝達される。
【００６８】
ガイドピン１４は、保持部１９に取り付けられる。接続要素７は、接続要素７に配置されたガイド溝と貫通孔の形をしたガイドスリーブとを介して、これらのガイドピン１４によって移動可能に案内される。調整レバー１８は、貫通孔２２に枢動可能に取り付けられる。接続要素７は、保持突出部１５を有しており、保持突出部１５によって、引き出し２は接続要素７に接続され、さらなる結果として、保持要素５を介して延長レール３ａに接続される。接続要素７がガイドバー１４に沿って移動されるように、調整レバー１８の枢動運動が、保持要素５の横方向当接面に伝達される。かくして、取り付けられた状態の引き出し２は、延長レール３ａに対して横方向に移動される。調整レバー１８は、回転伝動装置の一部であり、その運動成分は、引き出し２の横方向直進運動に変換される。
【００６９】
図５ｂは、組み立てられた状態における図５ａの配置を示す。
【００７０】
図６ａ〜６ｃは、図５ｂの場合と同じ配置を示す。かくして、図６ａ〜６ｃは、接続要素７の位置と保持要素５の調整レバー１８との点で異なる。図７ａの正面図から分かるように、接続要素７および調整レバー１８は、図６ａにおいて正面から見て延長レール３ａの中心の少し右の位置に配置される。
【００７１】
調整レバー１８が矢印Ｒの方向に枢動されると、接続要素７は、正面から見て右方向にさらに移動する。そのことが、図６ｂおよび７ｂに示される。調整レバー１８が矢印Ｓの方向に枢動されると、接続要素７は、正面から見て左方向、すなわち反対方向に移動する。そのことが、図６ｃおよび７ｃに示される。
【００７２】
図２ａ〜２ｃおよび３ａ〜３ｃに示される保持要素５の実施形態は、図８ａの斜視図と図８ｂの関連分解図に見られる。図４、５ａ、および５ｂと図６ａ〜６ｃ、および７ａ〜７ｃの実施形態に関するただ１つの実質的な変化は、調整装置に関し、それによって接続要素７は、保持要素５において水平に移動可能である。調整輪９が、歯車２５と係合している。調整輪９は、貫通孔２２ａに回転可能に取り付けられる。歯車２５は、貫通孔２２に回転可能に取り付けられ凹所を有しており、そのため、歯車２５の駆動はねじ回しで可能である。バー部材２６は、歯車２５のさらなる凹所（ここでは図示せず）と係合しているラッチ要素２７を有する。調整輪９の回転は、まず歯車２５の回転に変換される。その回転は、ラックの歯構成の形で配置されたラッチ要素２７によって、ガイドピン１４に沿って接続要素７の直進運動に変換される。バー部材２６は、保持部１９に取り付けられる。
【００７３】
図９ａは、図２ａ〜２ｃおよび３ａ〜３ｃに例示された実施形態における、第２の保持要素６の斜視図を示す。この場合、第２の保持要素６は、接続要素７を水平に移動する調整装置を除いて、図８ａおよび８ｂにおける保持要素５と同じ構成のものである。この場合、第２の接続要素８は、ガイドピン１４に浮動的に取り付けられ、したがって、接続要素７の横方向位置に関する調整に従いうる。横方向に直角な方向の浮動支持は提供されない。また、引き出し２を垂直に移動するためのさらなる調整装置１１は、第２の保持要素６に配置される。
【００７４】
図１０ａは、延長レール３ａ、中心レール３ｂ、および枠体レール３ｃを備える延長ガイド３に対する図８ａの保持要素５の斜視図を示す。
【００７５】
図１０ａにおいてＥで標識された部分は、図１０ｂに詳細図として示される。延長ガイド３は、引き出し２の第１の側に配置されるべきである。第２の保持要素６は、延長レール３ｄ、中心レール３ｅ、および枠体レール３ｆをさらに含む第２の延長ガイド３’の反対側に配置されるべきである。そのことが、図１１ａに斜視図として示される。この場合、第２の保持要素６は、図９ａの保持要素６に対応する。
【００７６】
図１１ｂは、図１１ａにおいてＦで標識された部分の詳細図を示す。
【００７７】
図１２ａは、接続要素７の保持突出部１５が引き出し後壁２ｄと係合している様子を示す。この場合、保持突出部１５は、引き出し２が保持要素５に固定的に接続されるように、引き出し後壁２ｄに適合される。保持突出部１５は、破線で示されており、適切な幾何学的保持面を有する。
【００７８】
図１２ｂは、第２の接続要素８の保持突出部１５が引き出し２の反対側の領域で引き出し後壁２ｄに係合している様子を示す。
【００７９】
図１３ａは、引き出しの引き出し後壁２ｄにおいて、引き出し２の向かい合う側で延長ガイド３および３’の延長レール３ａおよび３ｄにそれぞれ配置される保持要素５および第２の保持要素６の第２の実施形態の斜視図を示す。
【００８０】
図１３ｂは、図１３ａにおいてＧで標識された部分の詳細図を示す。支持要素１７とさらなる調整装置１１と保持部１９とは、この場合、前の実施形態のものと実質的に同様に設計され、保持部１９には、保持部１９に固定的に接続された保持突出部１５’が配置される。
【００８１】
接続要素７は、引き出し後壁２ｄに取り付けられた取付板２９を含む。スロット３０は、保持突出部１５’を受け入れる開口を有する摺動要素３１を摺動可能に案内するのに役立つ。保持要素５は、その開口を介して接続要素７に接続され、取付板２９を介して引き出し２に接続される。取付板２９に枢動可能に取り付けられており、回転運動可能な伝動装置の一部であるレバー３２は、摺動要素３１のスロット３３と係合している。摺動要素３１が保持突出部１５’への接続によって横方向に関して固定されると、延長レール３ａに対する引き出し２の位置が横方向に移動されるように、レバー３２の枢動運動によって摺動要素３１がスロット３０内で移動される。
【００８２】
代わりに、保持突出部１５’を備える接続要素７を、前の実施形態の場合と同様に保持要素５に対して横方向に移動可能に取り付け、引き換えに、摺動要素３１をスロット３０内に移動不可能に取り付けることも可能であろう。
【００８３】
さらなる調整装置１１が作動されると、保持突出部１５’は、摺動要素３１とともに垂直方向に移動される。孔３０は垂直方向における摺動要素３１の相対運動を許さないので、垂直運動は引き出し２に伝達される。
【００８４】
図１３ｃは、図１３ａにおいてＨで標識された部分の詳細図を示す。第２の保持要素６についてここに示すさらなる実施形態は、保持要素５と実質的に同じ構造のものである。不足しているのは、引き出し２の横方向位置を調整するレバー３２である。摺動要素３１は、レバー３２が欠如しているために、スロット３０に浮動的に取り付けられ、したがって、保持要素５のレバー３２が作動するとき、引き出し２が両保持要素５、６に接続されていれば、摺動要素３１の移動は保持要素６のスロット３０で行なわれる。
【００８５】
保持要素５の場合と同様に、保持突出部１５’を備える第２の接続要素８を、前の実施形態の場合と同様に第２の保持要素６に対して横方向に移動可能に取り付け、引き換えに、摺動要素３１をスロット３０内に移動不可能に取り付けることも可能であろう。
【００８６】
図１４ａ〜１４ｄは、図１３ｂの実施形態における保持要素５の様々な図を示す。図１４ｅの分解図は、取付板２９、摺動要素３１、およびレバー３２を示す。
【００８７】
図１５ａ〜１５ｄは、図１３ｃの実施形態における第２の保持要素６の様々な図を示す。図１５ｅの分解図は、取付板２９および摺動要素３１を示す。保持要素５または第２の保持要素６に対する接続要素７および第２の接続要素８の保持突出部１５、１５’の移動可能位置を除いて、保持要素５および第２の保持要素６の残る成分は、それぞれ前述の実施形態の場合と実質的に同じであり、図１４ａ〜１４ｅおよび１５ａ〜１５ｅに示されていない。
【００８８】
図１６ａは、枠体レール３ｃおよび延長レール３ａを備える本発明による第１の延長ガイド３およびさらなる延長ガイド３の図を示す。延長レール３ａの前方領域には、第１の延長ガイド３に回転可能に取り付けられた調整要素３５を介して延長ガイド３に対して横方向に移動可能である固定要素３４が、配置される。また、調整要素３５は、ねじ３６によって作動されうる。図１６ｂは、図１６ａにおいてＩで標識された部分の詳細図を示す。
【００８９】
図１７ａは、第１の延長ガイド３の正面図を示す。延長レール３ａの後方領域には、保持要素５に対して横方向に移動可能な接続要素７を有する保持要素５が配置される。延長レール３ａの前方領域には、固定突起部３４を含む第１の固定要素が配置される。その固定突起部３４は、引き出し２の引き出し底部２ｂまたは第１の側壁２ｃの開口に適合される。それゆえ、引き出し２は、延長レール３ａに接続される。固定突起部３４は、調整要素３５に接続されるかまたは移動可能に取り付けられ、調整要素３５の運動によって、固定突起部３４が第１の延長ガイド３に対して横方向に運動し、逆も同様である。したがって、第１の固定要素および調整要素３５の運動は結合される。したがって、引き出し２の横方向位置は、引き出し２に固定突起部３４を接続することによって、調整要素３５を介して第１の延長ガイド３に対して変更されうる。その点に関して、第１の固定要素と調整要素３５との間の結合は、偏心ねじ、関連歯配列を備えるスパイラルディスク、またはピボットレバーを備えるスパイラルディスクの形をしていてもよい。
【００９０】
図１７ｂは、図１７ａの第１の延長ガイド３を示しており、第１の固定要素とさらには保持要素５の接続要素７との両方が、矢印Ｔの横方向に移動されている。第１の固定要素は延長レール３ａの前方領域に備えられており、かつ保持要素５を備える接続要素７は延長レール３ａの後方領域に備えられているので、引き出し２の側壁２ｃは、延長レール３ａに平行に横方向に移動されうる。
【００９１】
図１８ａは、接続された引き出し２を備える本発明による延長ガイド取付具を下から見た図を示す。第１および第２の延長ガイド３、３’の後方領域には、第１および第２の接続要素７、８を備える第１および第２の保持要素５、６が配置される。これらは、延長ガイド３、３’の上面に配置されるので、この図では見えない。調整要素３５を備える第１の固定要素は、第１の延長ガイド３に接続されるかまたは移動可能に取り付けられる。固定突起部３７をさらに含む第２の固定要素は、第２の延長ガイド３’において取付部３９に接続されるかまたは移動可能に取り付けられる。その場合、取付部３９は、第２の延長ガイド３’に関して引き出し２の相対位置の積極的な調整が可能でないような構成のものである。しかしながら、調整要素３５による第１の延長ガイド３に対する引き出し２の相対位置の調整は、引き出し２が傾斜姿勢を取れないように追跡し続けられうる。
【００９２】
図１８ｂは、第２の延長ガイド３’の図１８ａにおいてＪで標識された部分の詳細図を示す。
【００９３】
図１８ｃは、第１の延長ガイド３の図１８ａにおいてＫで標識された部分の詳細図を示す。
【００９４】
図１９ａは、第２の延長ガイド３’の平面図を示す。この実施形態では、さらなる保持要素６が延長レール３ｄの後方領域に配置されることがない。軸の形をした取付部３９が、延長レール３ｄの前部に配置される。第２の固定要素の一部であるピボットレバー３８は、その軸に回転可能に取り付けられる。また、ピボットレバー３８は、好ましくは固定突起部３７に回転可能に取り付けられ、固定突起部３７は、引き出し２に設けられた開口に適合される。第１の延長ガイド３に対する引き出し２の横方向位置の移動が追跡し続けられるように、ピボットレバー３８の取付部３９への取付けは、自動ロック式でない。図１９ｂ〜１９ｄは、図１９ａにおいてＬで標識された部分を示しており、ピボットレバー３８の位置、したがって第２の延長ガイド３’に対する第２の固定要素３７の位置は異なる。
【００９５】
反対側に配置された第１の延長ガイド３の上面は、この領域における構造と同様の構造のものであってもよく、すなわち、第１の固定要素は、固定突起部３４およびピボットレバー３８を含む。しかしながら、ピボットレバー３８の延長レール３ａへの取付けは緩くなく自動ロック式であり、第１の延長ガイド３に対する引き出し２の横方向の調整がピボットレバー３８の回転運動によって独立に復元されることのないように、場合によってはラッチ要素が備えられる。
【図１】
0005902099.tif 000002
【図２ａ】
0005902099.tif 000003
【図２ｂ】
0005902099.tif 000004
【図２ｃ】
0005902099.tif 000005
【図３ａ】
0005902099.tif 000006
【図３ｂ】
0005902099.tif 000007
【図３ｃ】
0005902099.tif 000008
【図４】
0005902099.tif 000009
【図５ａ】
0005902099.tif 000010
【図５ｂ】
0005902099.tif 000011
【図６ａ】
0005902099.tif 000012
【図６ｂ】
0005902099.tif 000013
【図６ｃ】
0005902099.tif 000014
【図７ａ】
0005902099.tif 000015
【図７ｂ】
0005902099.tif 000016
【図７ｃ】
0005902099.tif 000017
【図８ａ】
0005902099.tif 000018
【図８ｂ】
0005902099.tif 000019
【図９ａ】
0005902099.tif 000020
【図９ｂ】
0005902099.tif 000021
【図１０ａ】
0005902099.tif 000022
【図１０ｂ】
0005902099.tif 000023
【図１１ａ】
0005902099.tif 000024
【図１１ｂ】
0005902099.tif 000025
【図１２ａ】
0005902099.tif 000026
【図１２ｂ】
0005902099.tif 000027
【図１３ａ】
0005902099.tif 000028
【図１３ｂ】
0005902099.tif 000029
【図１３ｃ】
0005902099.tif 000030
【図１４ａ】
0005902099.tif 000031
【図１４ｂ】
0005902099.tif 000032
【図１４ｃ】
0005902099.tif 000033
【図１４ｄ】
0005902099.tif 000034
【図１４ｅ】
0005902099.tif 000035
【図１５ａ】
0005902099.tif 000036
【図１５ｂ】
0005902099.tif 000037
【図１５ｃ】
0005902099.tif 000038
【図１５ｄ】
0005902099.tif 000039
【図１５ｅ】
0005902099.tif 000040
【図１６ａ】
0005902099.tif 000041
【図１６ｂ】
0005902099.tif 000042
【図１７ａ】
0005902099.tif 000043
【図１７ｂ】
0005902099.tif 000044
【図１８ａ】
0005902099.tif 000045
【図１８ｂ】
0005902099.tif 000046
【図１８ｃ】
0005902099.tif 000047
【図１９ａ】
0005902099.tif 000048
【図１９ｂ】
0005902099.tif 000049
【図１９ｃ】
0005902099.tif 000050
【図１９ｄ】
0005902099.tif 000051